(57)【特許請求の範囲】
【請求項１】
所定の位置の周辺に存在する施設を検索し、表示画面上に表示する機能を有する地図表示装置であって、
ユーザの入力操作に基づいて、検索する施設のジャンルを選択するジャンル選択手段と、
当該ジャンル選択手段で選択された複数のジャンルの施設を前記所定の位置から所定の直線距離内で検索する手段と、
前記検索した複数の施設を前記ジャンルごとに所定の基準で並べる手段と、
当該並べた複数の施設から複数のジャンルごとに前記所定の基準に基づき特定の施設を選択する施設選択手段と、
前記所定の位置から前記特定の施設までの経路を探索する手段と、
前記選択された複数のジャンルの施設及び当該施設までの経路を地図画面上に表示する表示手段と、を有し、
前記表示手段は同一画面中に、前記検索した施設及び経路を表示する地図表示部と、選択のための複数のジャンルが表示されるジャンル入力部と、複数のジャンルごとに検索した前記施設の名称を含む選択結果をジャンルごとに表示する検索結果表示部とを備えている地図表示装置。
【請求項２】
請求項１に記載された地図表示装置において、
前記所定の基準は、前記経路の距離又は前記経路の移動所要時間である地図表示装置。
【発明の詳細な説明】
【技術分野】
【０００１】
本発明は、現在位置やユーザが指定した位置の周辺に存在する施設の位置及びその施設までの経路を地図画面上に表示できるようにした地図表示装置に関する。
【背景技術】
【０００２】
例えばカーナビゲーション装置においては、多数の施設に関する情報を記憶したデータベースから、ユーザが行きたい施設を車両の現在位置から近い順にリストアップして地図画面上に表示するという所謂最寄り施設検索機能を備えたものが提供されている。
【０００３】
しかし、従来の一般的なカーナビゲーション装置における最寄り施設検索機能では、施設を車両の現在位置から近い順にリストアップする際に、現在位置と施設との間の直線距離を基準として抽出する構成となっている。
【０００４】
従って、第１の施設及び第２の施設が存在し、直線距離の短い方の第１の施設が川の対岸に位置し、迂回して橋を渡らないと到達できない状況にある場合には、現在位置と第２の施設との間の経路距離（実移動距離）が現在位置と第１の施設との間の経路距離より短いにもかかわらず、直線距離の短い第１の施設が最初にリストアップされる。
【０００５】
このため、リストアップされた施設の中から最も近い施設を選択しても、実際の移動距離が長くなることがある。この結果、ユーザが本当に必要とする施設を検索できないことがあり、これが実際の使用感の悪化に繋がるという問題がある。
【０００６】
この問題に対処した地図表示装置として、現在位置からの直線距離を基準に抽出した施設について、現在位置から施設までの経路距離又は移動所要時間を算出して、経路距離又は移動所要時間を基準に各施設名を並べたリストを作成し、そのリスト中の施設の位置を上位のものから所定の数だけ地図画面上に表示する地図表示装置がある（特許文献１参照）。
【０００７】
しかしながら、特許文献１に記載された地図表示装置では、地図画面上に表示されるのが施設を示すアイコン及び施設のリストであるため、施設までの経路が判らないという問題がある。
【先行技術文献】
【特許文献】
【０００８】
【特許文献１】特開２００１−１７４２７３号公報
【発明の概要】
【発明が解決しようとする課題】
【０００９】
本発明は、このような問題点を解決するためになされたものであり、その目的は、所定の位置の周辺に存在する施設を当該位置からの直線距離を基準に抽出し、抽出した施設を他の基準に基づいて並べ、並べた施設の位置及び経路を地図画面上に表示できるようにすることである。
【課題を解決するための手段】
【００１０】
本発明の地図表示装置は、所定の位置の周辺に存在する施設を検索し、表示画面上に表示する機能を有する地図表示装置であって、ユーザの入力操作に基づいて、検索する施設のジャンルを選択するジャンル選択手段と、当該ジャンル選択手段で選択された複数のジャンルの施設を前記所定の位置から所定の直線距離内で検索する手段と、前記検索した複数の施設を前記ジャンルごとに所定の基準で並べる手段と、当該並べた複数の施設から複数のジャンルごとに前記所定の基準に基づき特定の施設を選択する施設選択手段と、前記所定の位置から前記特定の施設までの経路を探索する手段と、前記選択された複数のジャンルの施設及び当該施設までの経路を地図画面上に表示する表示手段と、を有し、前記表示手段は同一画面中に、前記検索した施設及び経路を表示する地図表示部と、選択のための複数のジャンルが表示されるジャンル入力部と、複数のジャンルごとに検索した前記施設の名称を含む選択結果をジャンルごとに表示する検索結果表示部とを備えている地図表示装置である。
【発明の効果】
【００１１】
本発明によれば、所定の位置の周辺に存在する施設を当該位置からの直線距離を基準に抽出し、抽出した施設を他の基準に基づいて並べ、並べた施設の位置及び経路を地図画面上に表示することができる。
【図面の簡単な説明】
【００１２】
【図１】本発明の第１の実施形態の地図表示装置のハードウェア構成のブロック図である。
【図２】本発明の第１の実施形態の地図表示装置における制御部の機能ブロック図である。
【図３】本発明の第１の実施形態の地図表示装置の基本動作のフローチャートである。
【図４】本発明の第１の実施形態の地図表示装置における表示画面を示す図である。
【図５】図４の表示画面における地図表示部に検索位置を示すアイコンを表示している状態を示す図である。
【図６】図４の表示画面で検索結果を表示している状態を示す図である。
【図７】本発明の第１の実施形態の地図表示装置において表示する施設をジャンル内で変更したときの動作を示すフローチャートである。
【図８】本発明の第１の実施形態の地図表示装置において検索するジャンルを追加したときの動作を示すフローチャートである。
【図９】本発明の第２の実施形態の地図表示装置のハードウェア構成のブロック図である。
【図１０】本発明の第２の実施形態の地図表示装置の基本動作のフローチャートである。
【発明を実施するための形態】
【００１３】
以下、本発明の実施形態について図面を参照して詳細に説明する。
［第１の実施形態］
〈地図表示装置のハードウェア構成〉
図１は、本発明の実施形態の地図表示装置のハードウェア構成のブロック図である。この地図表示装置はＰＮＤ（Personal Navigation Device）に地図表示アプリケーションプログラム（以下、地図アプリと言う）を実装することで実現することができる。
【００１４】
この地図表示装置は、制御部１と、それぞれが制御部１に接続された表示部２、操作部３、ＧＰＳ（Global Positioning System）受信部４、音声入出力部５、及び記憶部６を備えている。
【００１５】
制御部１は、ＣＰＵ（Central Processing Unit）１ａ、ＲＯＭ（Read Only Memory）１ｂ、及びＲＡＭ（Random Access Memory）１ｃを内蔵している。また、記憶部６には、地図情報６ａ、経路情報６ｂ、及び施設情報６ｃが記憶されている。
【００１６】
表示部２は、薄型表示装置、例えば液晶、有機ＥＬ（Electroluminescence）などのディスプレイからなり、記憶部６に記憶されている地図情報６ａ、経路情報６ｂ、施設情報６ｃに基づいて、制御部１の制御により、地図、施設、経路などを表示する。
【００１７】
操作部３は、ユーザがこの地図表示装置を使用するときに各種指令の入力を行うための手段であり、表示部２の画面上のタッチパネル、図示しない装置筐体上のボタン或いはそれらの組み合わせからなる。
【００１８】
ＧＰＳ受信部４は、複数のＧＰＳ衛星から送信される電波を受信して演算することにより、受信点、即ちこの地図表示装置の現在位置（緯度、経度）を測定して、現在位置情報を生成する。
【００１９】
音声入出力部５は、ユーザに対するガイダンス音声などを出力するためのスピーカ、ユーザによる音声の指令を入力するためのマイクロホンからなる。
【００２０】
記憶部６に記憶されている地図情報６ａは、表示部２に表示する地図画像を表すデータである。経路情報６ｂは、地図情報６ａが表す地図画像に対応する領域に存在する道路ネットワークデータである。施設情報６ｃは、地図情報６ａが表す地図画像に対応する領域に存在する各種施設（駅、学校、病院、デパート、ガソリンスタンド等）に関する情報（アイコンを含む）である。
【００２１】
〈制御部の機能ブロック図〉
図２は、図１における制御部１の機能ブロック図である。図示のように、制御部１は、機能ブロック、即ちＲＯＭ１ｂに記憶されているプログラムをＣＰＵ１ａがＲＡＭ１ｃをワークエリアとして実行することにより実現される機能として、地図情報管理部１１、経路情報管理部１２、施設情報管理部１３、位置設定部１４、施設選択部１５、及び表示処理部１６を備えている。
【００２２】
地図情報管理部１１は、ユーザにより操作部３から指定された地図を記憶部６に記憶されている地図情報６ａから読み出す手段である。
経路情報管理部１２は、位置設定部１４で設定された検索位置（施設を検索する際の基準位置）から施設情報管理部１３により検索された施設までの経路を、記憶部６に記憶されている経路情報６ｂを用いて探索するとともに、探索した経路の距離及び経路の移動所要時間を出力する手段である。
【００２３】
施設情報管理部１３は、ユーザにより操作部３から指定されたジャンルの施設を、位置設定部１４により設定された検索位置から所定の直線距離内で検索する手段である。
【００２４】
位置設定部１４は、施設情報管理手段１３が施設を検索する際の基準位置である検索位置を設定する手段である。ここで、位置設定部１４は、ＧＰＳ受信部４で算出された現在位置の設定、及びユーザが操作部３から入力する任意の位置の設定が可能である。また、後者については、住所や観光地名の入力による設定、或いは検索位置を示すアイコンを表示部２に表示されている地図上の所望の位置に止める等による設定が可能である。
【００２５】
施設選択部１５は、施設情報管理部１３により、検索位置から直線距離順に検索された複数の施設を、所定の基準（例．経路の距離、経路の移動所要時間、施設の規模）に基づいて並べ替える機能、及び並べ替えた複数の施設の内の一つを選択する機能を持つ手段である。
【００２６】
表示処理部１６の地図表示処理部１６ａは、地図情報管理部１１により記憶部６から読み出された地図情報６ａの地図画像データを表示部２に送出する手段である。施設情報表示処理部１６ｃは、施設選択部１５により選択された施設のアイコンの画像データを表示部２に送出する手段である。経路表示処理部１６ｂは、経路情報管理部１２により探索された複数の施設までの経路のうち、施設選択部１５により選択された施設までの経路の画像データを表示部２に送出する手段である。
【００２７】
なお、図示を省略したが、表示処理部１６は、上記各部に加えて、経路情報管理部１２により探索された複数の施設のリストを表示部２に表示させる手段も備えている。
【００２８】
〈地図表示装置の基本動作〉
図３は、本実施形態の地図表示装置の基本動作のフローチャートである。このフローは、ユーザが操作部３から地図アプリを立ち上げる操作を実行したことに応じてスタートする。
【００２９】
図３に示すフローがスタートすると、表示部２には図４に示す地図アプリ表示画面が表示される。図４Ａに示すように、地図アプリ表示画面１００は、地図表示部１０１、検索ジャンル入力部１０２、及び検索結果表示部１０３を備えている。
【００３０】
地図表示部１０１には、地図表示処理部１６ａから送出された地図画面が表示される。また、施設検索が行われた場合は、施設情報表示処理部１６ｃから送出された施設のアイコン、及び経路表示処理部１６ｂから送出された経路が、地図画面上に表示される。
【００３１】
図３に示すフローがスタートした時点では、地図表示部１０１及び検索結果表示部１０３には何も表示されていない。また、検索ジャンル入力部１０２には、図４Ｂに示す画像が表示されている。即ち、「最寄りの施設を検索」の文字とその枠１２１、「ジャンルを選択」及び「全解除」の文字１２２、並びにジャンルを示すボタン群１２３が表示されている。なお、図３に示すフローがスタートした時点で、地図表示部１０１、検索ジャンル入力部１０２、検索結果表示部１０３に、それぞれ、前回表示した地図又はデフォルトで設定されている地図、前回入力した検索ジャンル又はデフォルトで設定されている検索ジャンル、前回の検索結果又はデフォルトで設定されている検索結果を表示してもよい。
【００３２】
図４Ｂにおいて、「ジャンルを選択」の文字の表示部位を押下すると、ジャンルを示すボタン群１２３のうち、任意の一つのボタンを押下して選択できる状態となる。そして、押下されたボタンの色が反転する。図４Ｃは、「ジャンルを選択」を５回押下し、その押下毎に、「駅」、「コンビニ」、「銀行」、「郵便局」、及び「スーパー」のボタンを押下した状態を示している。
【００３３】
なお、「押下」とは、操作部３を用いて、図示しないカーソルなどのポインティングデバイスの位置を「ジャンルを選択」の文字の表示部位やボタン群１２３の所望のボタンの表示部位に合わせ、所定のキー（確定キー、エンターキー等）を押下したり、表示部２の画面上のタッチパネルを押下したりすることを意味する。
【００３４】
上述したユーザの操作により、選択されたジャンルを示す情報がＲＡＭ１ｃに記憶され、図３のステップＳ１が終了する。ここでは、ｎ＝５である。なお、図４Ｂにおいて、「全解除」の文字の表示部位を押下すると、選択済みのジャンルが全て解除（クリア）される。
【００３５】
次に、操作部３に対するユーザの操作に基づいて、検索位置の決定が行われる（ステップＳ２）。図４Ａでは省略したが、地図アプリ表示画面１００には、位置設定部１４により検索位置を決定するための画像として、住所や施設名の入力欄が表示される。その入力欄にユーザが住所や施設名を入力すると、図５に示すように、入力された住所や施設を含む地図が地図表示部１０１に表示されるとともに、検索位置を示すアイコン（以下、検索位置アイコンと言う）１１１が地図の中心に表示される。なお、便宜上、地図の図示を省略した。
【００３６】
この状態で所定のキー（確定キー、エンターキー等）を押下すると、検索位置アイコン１１１の示す位置、即ち地図表示部１０１に表示されている地図の中心の位置（緯度、経度）がＲＡＭ１ｃに記憶され、ステップＳ２が終了する。ここで、所定のキー（確定キー、エンターキー等）を押下する前に検索位置アイコン１１１を押下し、ドラッグすることで、地図の中心の位置を東西南北に移動させ、停止した後に所定のキー（確定キー、エンターキー等）を押下すれば、停止した位置が設定される。また、このようなユーザが指定した位置を設定する代わりに、ＧＰＳ受信部４で算出された現在位置を設定することもできる。
【００３７】
次に、施設情報管理部１３が、ステップＳ１で決定された複数のジャンルの内の一つを選択し、そのジャンルの施設をステップＳ２で決定された検索位置の周辺から、複数抽出する（ステップＳ３）。ここで、ジャンルの選択は図４Ｂに示すボタン群１２３の左上端から行い、検索位置から周辺（半径）１０ｋｍ以内の施設を直線距離の近い順に最大３つ抽出する。
【００３８】
次いで、経路情報管理部１２が、ステップＳ３で抽出された各施設までの経路を探索する（ステップＳ４）。このステップの処理は抽出数分の回数繰り返し、実行される。
【００３９】
次に、施設選択部１５が、ステップＳ３で、直線距離の近い順に複数（ここでは３つ）抽出された施設を所定の基準に従って、並べる（ステップＳ５）。ここでは、経路距離を基準として、経路距離の短い順に並べている。
【００４０】
次いで、施設選択部１５が、ステップＳ５で並べた複数の施設の内の一つを選択する（ステップＳ６）。どのように選択するかについては後述する。
【００４１】
次に、ステップＳ６で選択された施設のアイコン画像データ、検索位置からステップＳ６で選択された施設までの経路の画像データが、それぞれ施設情報表示処理部１６ｃ、経路表示処理部１６ｂにより、表示部２に送られることで、地図アプリ表示画面１００内の地図表示部１０１に施設のアイコンと施設までの経路が表示される（ステップＳ７）。
【００４２】
ステップＳ３〜Ｓ７は、ステップＳ１で決定されたジャンルの数（ここでは５つ）分の回数だけ実行される。これにより、地図アプリ表示画面１００に表示される画面を図６に示す。ここで、図６Ａ、Ｂ、Ｃは、それぞれ地図表示部１０１、検索ジャンル入力部１０２、検索結果表示部１０３の表示内容を示している。図６Ｂに示す表示内容は図４Ｃの表示内容と同じである。つまり、図４Ｂに表示されている検索ジャンルの施設が検索され、検索結果が地図表示部１０１に表示されている。
【００４３】
図６Ａに示すように、地図表示部１０１には、検索位置アイコン１１１、施設を表すアイコン１１２乃至１１６、検索位置アイコン１１１から施設を表すアイコン１１２乃至１１６に至る経路１１２ａ乃至１１６ａが表示されている。なお、便宜上、地図の表示を省略した。ここで、アイコン１１２、１１３、１１４、１１５、１１６は、それぞれ駅、コンビニ、銀行、郵便局、スーパーを表しており、図示を省略した地図にはそれぞれの名称（駅であれば路線名及び駅名）が表示されている。
【００４４】
なお、ステップＳ３〜Ｓ７の１回目の実行により地図表示部１０１に表示されるのは、検索位置アイコン１１１、駅を表すアイコン１１２、及び検索位置アイコン１１１から駅を表すアイコン１１２までの経路１１２ａであり、ステップＳ３〜Ｓ７を繰り返す毎に、順次、アイコン１１３及び経路１１３ａ、アイコン１１４及び経路１１４ａ、アイコン１１５及び経路１１５ａ、アイコン１１６及び経路１１６ａが追加される。
【００４５】
検索結果表示部１０３には、２段の検索結果表示欄１３１、１３２が配置されており、上の段には駅１１２の検索結果が、下の段にはコンビニ１１３の検索結果が表示されている。検索結果は、施設の名称、経路距離、移動に要する時間である。ここでは、駅１１２は、K電鉄M線ａｂｃ駅、経路距離４００ｍ、徒歩５分である。また、コンビニは、Gマートα町支店、経路距離６５０m、徒歩８分である。他のジャンル（銀行、郵便局、スーパー）の検索結果は、例えば検索結果表示部１０３の表示内容をスクロールさせることで表示することができる。なお、ここでは検索結果表示部１０３に同時に表示されている検索結果表示欄の数を２としたが、この数は表示部２のサイズ、地図アプリ表示画面１００のサイズ、検索結果表示部１０３のサイズなどに応じて増減することができる。
【００４６】
検索結果表示欄１３１、１３２には、それぞれのジャンル、即ち検索結果表示欄１３１については駅を、検索結果表示欄１３２についてはコンビニを選択するためのボタン群１３１ａ、１３２ａが配置されている。ここで、ボタン群１３１ａ、１３２ａを構成するボタン（１）、（２）、（３）の番号は、検索位置から施設までの経路距離の近い順を表している。
【００４７】
ボタン（１）、（２）、（３）を押下することで、ステップＳ３で抽出された３つの施設の中から所望の施設のアイコン及び経路を地図表示部１０１に表示することができる。デフォルトでは、図６Ｃに示すように、ボタン（１）が選択されているので、検索結果表示欄１３１、１３２には、それぞれ３つの駅の内、経路距離が一番近い駅、３つのコンビニの内、経路距離が一番近いコンビニが表示されている。
【００４８】
〈表示する施設をジャンル内で変更したときの動作〉
図６に示す表示状態において、例えばボタン群１３１ａのボタン（２）を押下すると、図６ＡにおけるＫ電鉄Ｍ線のａｂｃ駅及び経路の表示が消え、代わりに、二番目に近い駅及び経路が表示される。
【００４９】
図７は、このときの動作、即ち表示する施設を変更したときの動作を示すフローチャートである。この図において、点線の枠で表示されているステップ（ステップＳ１〜Ｓ５）は、図３に示す基本動作のフローで実行され、この図のフローでは実行されないステップである。
【００５０】
ボタン群１３１ａのボタン（２）が押下されると、二番目に近い駅が選択され（ステップＳ１１）、一番目に近い駅のアイコン１１２と経路１１２ａが消去され（ステップＳ１２）、二番目に近い駅のアイコンと経路が表示される（ステップＳ７）。ここでは、図６に示す状態において、ボタン群１３１ａのボタン（２）を押下したものとして説明したが、ボタン群１３１ａのボタン（３）を押下した場合、及びボタン群１３２ａのボタン（２）又は（３）を押下した場合も図７に示すフローを行う。
【００５１】
〈検索するジャンルを追加したときの動作〉
図８は、図６に示す表示状態において、検索するジャンルを追加した場合の動作を示すフローチャートである。即ち、図６Ｂにおいて、ボタン群１２３のうち、選択されていないジャンルである薬局、軽食、レンタルＤＶＤ、本、病院のうちの１つ以上を押下した場合に、この図のフローがスタートする。この図において、点線の枠で表示されているステップ（ステップＳ２）は、図３に示す基本動作のフローで実行され、この図のフローでは実行されないステップである。
【００５２】
まず、ユーザによる検索ジャンルの追加操作に応じて、追加して検索するジャンルが決定される（ステップＳ２１）。以下のステップは、図３に示す基本動作と同じである。ここで、ステップＳ３〜Ｓ７については追加したジャンルに対して行うので、２つのジャンルを追加した場合は２回行うことになる。
【００５３】
なお、図３に示すフローでは、ステップＳ３〜Ｓ７を検索ジャンル毎に繰り返すように構成したが、ステップＳ３〜Ｓ６又はステップＳ３〜Ｓ５を検索ジャンル毎に繰り返し、それ以後のステップについては全ての検索ジャンルをまとめて処理するように構成することもできる。
【００５４】
［第２の実施形態］
〈地図表示装置のハードウェア構成〉
図９は、本発明の第２の実施形態の地図表示装置のハードウェア構成を示すブロック図である。この地図表示装置は、インターネットなどのネットワーク２１０を介して接続される端末装置２００及びサーバ２２０と、サーバ２２０に接続されたデータベース２３０により構成される。この図において、図１、図２と対応する部分には図１、２と同じ名称が付されている。
【００５５】
端末装置２００はＰＣ（パーソナルコンピュータ）、スマートフォンなどの通信機能及び情報処理機能を備えた装置であり、制御部２０１と、それぞれが制御部２０１に接続された表示部２０２、操作部２０３、ＧＰＳ受信部２０４、音声入出力部２０５、及び通信部２０６を備えている。ここで、通信部２０６はネットワーク２１０を介してサーバ２２０と通信を行う手段である。また、その他の部分は、図１における同名の部分と同様な構成及び機能を持っている。
【００５６】
制御部２０１は、ＣＰＵ２０１ａ、ＲＯＭ２０１ｂ、及びＲＡＭ２０１ｃを備えており、ＲＯＭ２０１ｂに記憶されているプログラムをＣＰＵ２０１ａがＲＡＭ２０１ｃをワークエリアとして実行することにより実現される機能を示す機能ブロックとして、図示しない位置設定部及び表示処理部を備えている。この位置設定部及び表示処理部は、図２における位置設定部１４及び表示処理部１６と同様の機能を持っている。
【００５７】
サーバ２２０は、通信制御部２２１、地図情報管理部２２２、経路情報管理部２２３、及び施設情報管理部２２４を備えている。通信制御部２２１は、ネットワーク２１０を介して端末装置２００と通信を行う手段である。地図情報管理部２２２、経路情報管理部２２３、施設情報管理部２２４は、それぞれ図２における同名の部分と同様の機能を持っており、データベース２３０の地図情報ＤＢ（データベース）２３１、経路情報ＤＢ２３２、施設情報ＤＢ２３３に接続される。地図情報ＤＢ２３１、経路情報ＤＢ２３２、施設情報ＤＢ２３３には、図１における記憶部６と同様、地図情報、経路情報、施設情報が記憶されている。
【００５８】
〈地図表示装置の基本動作〉
図１０は、本実施形態の地図表示装置の基本動作のフローチャートである。
図示のように、端末装置２００においては、第１の実施形態における地図表示装置と同様、検索ジャンルの決定（ステップＳ１０１）及び検索位置の決定（ステップＳ１０２）を行う。次に、検索位置と検索ジャンルをサーバ２２０へ送信する（ステップＳ１０３）。
【００５９】
サーバ２２０は、検索位置と検索ジャンルを受信し（ステップＳ１０４）、周辺１０ｋｍの施設の抽出（ステップＳ１０５）、経路探索（ステップＳ１０６）、及び経路距離の短い順に並べること（ステップＳ１０７）を順次行う。ここで、ステップＳ１０５〜Ｓ１０７は、検索ジャンル数分の回数だけ実行される。なお、ステップＳ１０７については端末装置２００が実行してもよい。
【００６０】
次いで、サーバ２２０は、経路、経路距離、所要時間、施設情報、及びアイコンを端末装置２００へ送信する（ステップＳ１０８）。端末装置２００は、経路、経路距離、所要時間、施設情報、及びアイコンを受信し（ステップＳ１０９）、検索ジャンル毎に一つの施設を選択し（ステップＳ１１０）、その施設のアイコンと経路を表示部２０２の地図上に表示する（ステップＳ１１１）。表示される画像は第１の実施形態（図６）と同じである。
【００６１】
本実施形態において、表示する施設をジャンル内で変更したときの動作フローは、第１の実施形態（図７）と同様である。また、検索するジャンルを追加したときの動作フローは、図１０のステップＳ１０１を図８のステップＳ２１で置き換えたものとなる。
【００６２】
以上詳細に説明したように、本発明の実施形態の地図表示装置は、下記（１）〜（３）の特徴を備えている。
（１）現在位置やユーザが指定した位置から所定の直線距離内で複数抽出した施設を所定の基準（経路距離が最短、所要時間が最短、規模が最大）に基づいて並べ、並べた施設の位置及びその施設までの経路を地図画面上に表示することができる。
（２）所定の基準に基づいてジャンル毎に並べた施設に対して、並べた施設のジャンル、及び施設を選択するための選択部材である選択ボタン群を表示するとともに、ユーザによる選択ボタンの押下に基づいて、表示する施設を決定することができる。
（３）複数のジャンルの施設を同時に検索し、検索した施設までの経路を表示することができる。
【符号の説明】
【００６３】
１，２０１…制御部、２，２０２…表示部、３，２０３…操作部、１１，２２２…地図情報管理部、１２，２２３…経路情報管理部、１３，２２４…施設情報管理部、１４…位置設定部、１５…施設選択部、１６…表示処理部、１６ａ…地図表示処理部、１６ｂ…経路表示処理部、１６ｃ…施設情報表示処理部、１１１…検索位置アイコン、１１２〜１１６…施設を表すアイコン、１１２ａ〜１１６ａ…経路、１２３…ジャンルを示すボタン群、１３１ａ，１３２ａ…施設を選択するためのボタン群。
【図１】
0005868082.tif 000002
【図２】
0005868082.tif 000003
【図３】
0005868082.tif 000004
【図４】
0005868082.tif 000005
【図５】
0005868082.tif 000006
【図６】
0005868082.tif 000007
【図７】
0005868082.tif 000008
【図８】
0005868082.tif 000009
【図９】
0005868082.tif 000010
【図１０】
0005868082.tif 000011